(57)【要約】【課題】  光ディスクの読み取り精度を向上すると共に、ピックアップ部を構成する半導体部品に対する継続的な過負荷を抑制し、製品寿命低下を防止することが可能なディスク装置を提供する。【解決手段】  記憶媒体２を再生した際に、デコーダ部７により検出されるＥＣＣエラーの回数によって、読み取り精度を向上させるために、ピックアップ部５より照射されるレーザ光の出力を上昇させるためＰＤ電圧値を変更し、指定時間経過後、自動的にＰＤ電圧値を通常値に戻すことで、ＰＤ電圧によってピックアップ部５内部の半導体にかかる過負荷を抑制することができ、一定の読み取り精度を保ちつつ製品寿命の低下を防ぐことができる。【選択図】      図１
2007066345.tif 000002
【特許請求の範囲】
【請求項１】
レーザ光を照射し、記憶媒体により反射した反射レーザ光から記憶されたデータを読み込んでＲＦ（Ｒａｄｉｏ  Ｆｒｅｑｕｅｎｃｙ）信号を生成するピックアップ部と、前記ＲＦ信号の増幅／制御を行うＲＦ信号増幅／制御部と、前記ＲＦ信号増幅／制御部により増幅されたＲＦ信号を映像／音声などに復号すると共に復号時に検出したＥＣＣ（Ｅｒｒｏｒ  Ｃｏｒｒｅｃｔｉｎｇ  Ｃｏｄｅ）エラーのエラー訂正を行うデコード手段と、前記ＲＦ信号増幅／制御部及び前記デコーダ手段を制御する制御手段と、ユーザからの各種動作の指示を行う操作手段とを備える記録媒体からの信号の読み込み若しくは書き込み又は読み書きを行うディスク装置において、前記ＲＦ信号を前記デコーダ部で復号する際に検出するＥＣＣエラーの検出回数に応じた、前記ピックアップ部が照射するレーザ出力のためのＰＤ（Ｐｏｔｅｎｔｉａｌ  Ｄｒｏｐ）電圧の値を記憶する記憶手段と、検出したＥＣＣエラー回数に基づいて前記記憶手段に記憶する値にＰＤ電圧を変更させるＰＤ電圧可変手段を備えることを特徴とするディスク装置。
【請求項２】
前記ディスク装置は、予め設定されたＥＣＣエラー数の最大値を前記可変可能なＰＤ電圧が超えるような場合、記憶媒体が利用不可能であることを報知するための報知手段を備えることを特徴とする請求項１に記載のディスク装置。
【請求項３】
前記制御部は、変更したＰＤ電圧を、一定時間経過後自動的に通常のＰＤ電圧に戻すよう動作することを特徴とする請求項１又は２に記載のディスク装置。
【請求項４】
前記ＰＤ電圧可変手段は、前記操作手段により、ユーザが手動でＰＤ電圧の変更を行うことができることを特徴とする請求項１から３の何れか１項に記載のディスク装置。
【発明の詳細な説明】
【技術分野】
【０００１】
本発明は、記憶媒体からデータを読み込む際、記憶媒体に起因する読み込みエラーに対して、ピックアップ部のレーザ光照射のためのＰＤ電圧を可変し、読み込み精度の向上を行うディスク装置に関する。
【背景技術】
【０００２】
従来、ＤＶＤ（Ｄｅｇｉｔａｌ  Ｖｅｒｓａｔｉｌｅ  Ｄｉｓｋ）再生装置などのディスク装置において、映像の再生や、記憶されたデータの読み出し時において、例えば光ディスクなどの記憶媒体の傷や付着した汚れ、記憶媒体の歪曲などにより、誤ったデータとして読み取ってしまうことがある。このようなデータの読み取り不良を防止するために、様々な方法が開示されている。
【０００３】
例えば、特許文献１や特許文献２では、エラーレートが所定の閾値を超えていないか否かにより再生動作が正常かどうかを判別し、動作が正常では無い場合、レーザ光の出力を変更し、それでも正常に動作しない場合、再度レーザ光の出力を変更する方法を開示している。
【０００４】
【特許文献１】特開２００２−１８３９６８号公報
【特許文献２】特開２００２−３５８６５０号公報
【発明の開示】
【発明が解決しようとする課題】
【０００５】
しかしながら、特許文献１及び２の方法では、正常に動作を行うまでレーザ光の出力を上昇させ続けてしまい、これによりレーザ光を照射するピックアップ部の半導体部品に対する過負荷が継続的にかかってしまい、半導体部品の劣化、すなわち製品寿命の低下を招く虞れがあった。
【０００６】
本発明は上記課題を鑑みてなされたものであり、ＥＣＣエラー回数に対してＰＤ電圧値を上昇・下降させることによる読み取り精度の向上と共に、前記ＰＤ電圧による過負荷に起因する製品寿命の低下を防ぐことができるディスク装置を提供することを目的とする。
【課題を解決するための手段】
【０００７】
請求項１に係るディスク装置は、レーザ光を照射し、記憶媒体により反射した反射レーザ光から記憶されたデータを読み込み、ＲＦ（Ｒａｄｉｏ  Ｆｒｅｑｕｅｎｃｙ）信号を生成するピックアップ部と、前記ＲＦ信号の増幅／制御を行うＲＦ信号増幅／制御部と、前記ＲＦ信号増幅／制御部により増幅されたＲＦ信号を映像／音声などに復号すると共に復号時に検出したＥＣＣ（Ｅｒｒｏｒ  Ｃｏｒｒｅｃｔｉｎｇ  Ｃｏｄｅ）エラーのエラー訂正を行うデコード手段と、前記ＲＦ信号増幅／制御部及び前記デコーダ手段を制御する制御手段と、ユーザからの各種動作の指示を行う操作手段とを備える記録媒体からの信号の読み込み若しくは書き込み又は読み書きを行うディスク装置において、前記ＲＦ信号を前記デコーダ部で復号する際に検出するＥＣＣエラーの検出回数に応じた、前記ピックアップ部が照射するレーザ出力のためのＰＤ（Ｐｏｔｅｎｔｉａｌ  Ｄｒｏｐ）電圧の値を記憶する記憶手段と、検出したＥＣＣエラー回数に基づく前記記憶手段に記憶する値にＰＤ電圧を変更させるＰＤ電圧可変手段を備えることを特徴とする。
【０００８】
請求項１の構成によれば、ＣＤやＤＶＤなどの光ディスクの再生の際に、記憶媒体にある傷や付着した埃などにより、読み取り時にＥＣＣエラーを検出した場合、記憶媒体のデータ読み取り用にピックアップ部から照射するレーザ光の出力を上昇させるためのＰＤ電圧の値を、ＥＣＣエラーの検出回数を元に記憶手段から取得し、該取得したＰＤ電圧値に上昇させることが可能となる。
【０００９】
請求項２に係るディスク装置は、請求項１に記載のディスク装置において、前記ディスク装置は、予め設定された最大値を前記可変可能なＰＤ電圧が超えるような場合、記憶媒体が利用不可能であることを報知するための報知手段を備えることを特徴とする。
【００１０】
請求項２の構成によれば、可変可能なＰＤ電圧の最大値を設定し、それを超えなければ読み込みができないような記憶媒体に対して、利用することができないとユーザに報知することにより、ピックアップ部に備えるレーザ発光用の半導体部品の過負荷を抑制することができる。
【００１１】
請求項３に係るディスク装置は、請求項１又は２に記載のディスク装置において、前記制御部は、変更したＰＤ電圧を、一定時間経過後自動的に通常のＰＤ電圧に戻すよう動作することを特徴とする。
【００１２】
請求項３の構成によれば、記憶媒体の要因による読み込みエラーを回避するために、電圧を上昇させ、出力を高くするように変更したＰＤ電圧値を、一定時間経過後に自動的に通常利用時のＰＤ電圧に戻すことができる。
【００１３】
請求項４に係るディスク装置は、請求項１から３の何れか１項に記載のディスク装置において、前記ＰＤ電圧可変手段は、前記操作手段により、ユーザが手動でＰＤ電圧の変更を行うことができることを特徴とする。
【００１４】
請求項４の構成によれば、ＰＤ電圧の変更を、ディスク装置が備える操作手段によりユーザが増減自在に行うことができる。
【発明の効果】
【００１５】
請求項１に係るディスク装置は、レーザ光を照射し、記憶媒体により反射した反射レーザ光から記憶されたデータを読み込み、ＲＦ（Ｒａｄｉｏ  Ｆｒｅｑｕｅｎｃｙ）信号を生成するピックアップ部と、前記ＲＦ信号の増幅／制御を行うＲＦ信号増幅／制御部と、前記ＲＦ信号増幅／制御部により増幅されたＲＦ信号を映像／音声などに復号すると共に復号時に検出したＥＣＣ（Ｅｒｒｏｒ  Ｃｏｒｒｅｃｔｉｎｇ  Ｃｏｄｅ）エラーのエラー訂正を行うデコード手段と、前記ＲＦ信号増幅／制御部及び前記デコーダ手段を制御する制御手段と、ユーザからの各種動作の指示を行う操作手段とを備える記録媒体からの信号の読み込み若しくは書き込み又は読み書きを行うディスク装置において、前記ＲＦ信号を前記デコーダ部で復号する際に検出するＥＣＣエラーの検出回数に応じた、前記ピックアップ部が照射するレーザ出力のためのＰＤ（Ｐｏｔｅｎｔｉａｌ  Ｄｒｏｐ）電圧の値を記憶する記憶手段と、検出したＥＣＣエラー回数に基づく前記記憶手段に記憶する値にＰＤ電圧を変更させるＰＤ電圧可変手段を備えるので、ＥＣＣエラーによる記憶媒体の読み込み不良が発生しても、自動的にＥＣＣエラーの数によりＰＤ電圧を上昇させ、レーザ光の出力を記憶媒体の読み取りが可能となるレベルに到達させることができる。
【００１６】
請求項２に係るディスク装置は、請求項１に記載のディスク装置において、前記ディスク装置は、予め設定された最大値を前記可変可能なＰＤ電圧が超えるような場合、記憶媒体が利用不可能であることを報知するための報知手段を備えるので、ＰＤ電圧に対して最大値を設けることにより、ＰＤ電圧の上昇によるピックアップ部の半導体部品に対する過負荷が起因となる製品寿命低下を防止することができる。
【００１７】
請求項３に係るディスク装置は、請求項１又は２に記載のディスク装置において、前記制御部は、変更したＰＤ電圧を、一定時間経過後自動的に通常のＰＤ電圧に戻すよう動作するので、記憶媒体のＥＣＣエラーによる読み込み不良部分に対してＰＤ電圧を上昇させて読み込みの精度を上昇させた後、ＰＤ電圧値を一定時間経過後、通常値に戻すことで、上昇したＰＤ電圧値が継続することによるピックアップ部の半導体部品に対する過負荷を防ぎ、製品寿命低下を防止することができる。
【００１８】
請求項４に係るディスク装置は、請求項１から３の何れか１項に記載のディスク装置において、前記ＰＤ電圧可変手段は、前記操作手段により、ユーザが手動でＰＤ電圧の変更を行うことができるので、再生時に不具合が発生しているが、ＥＣＣエラーを検出できず、ディスク装置が自動的にＰＤ電圧を上昇しないような場合に、ユーザが手動でデータの読み取りができるレベルまでＰＤ電圧を調整することができ、利便性が向上する。
【発明を実施するための最良の形態】
【００１９】
以下、本発明を実施するための最良の形態としての実施例を図１から図４を参照して説明する。もちろん、本発明は、その発明の趣旨に反さない範囲で、実施例において説明した以外のものに対しても容易に適用可能なことは説明を要するまでもない。
【００２０】
図１〜図４は、本発明の実施例を示し、図１は、本実施例におけるディスク装置の構成を示すブロック図である。図２及び図３は、ディスク装置の動作を示すフローチャート図であり、図４は、ＥＣＣエラー回数における可変ＰＤ電圧の値を示す説明図である。
【００２１】
本実施例におけるディスク装置の構造について、図１に基づいて説明する。１はディスク装置であり、本実施例においては記憶媒体としてＤＶＤを用いる映像再生機器とする。２は映像やデータなどが記憶される光ディスクである記憶媒体である。３は、記憶媒体２を回転させるモータであり、４はモータ３の動作を制御するモータ制御部である。５は記憶媒体２に対してレーザ光を照射し、反射光から記憶されたデータを読み出すピックアップ部であり、６は読み出したＲＦ信号の増幅／制御を行うＲＦ信号増幅／制御部であり、７はＲＦ信号増幅／制御部により増幅されたＲＦ信号を復号し、復号の際検出するＥＣＣエラーの訂正を行うデコーダ部である。８は、ディスク装置の動作を制御する制御手段であるＣＰＵであり、９はＣＰＵ８の動作に必要な情報や、図４の表に示すデータを記憶する記憶手段であるメモリ部である。１０は、ユーザがディスク装置の動作の指示を行うための操作部である。１１は、不具合などの発生をユーザに報知するための報知手段であるＯＳＤ（Ｏｎ  Ｓｃｒｅｅｎ  Ｄｉｓｐｌａｙ）作成部であり、作成されたＯＳＤは、ＣＰＵ８から表示装置１００に送られる映像に重畳して表示される。
【００２２】
次に、ディスク装置１の動作を、図２及び図３に基づいて説明する。本実施例におけるディスク装置１は、記憶媒体２の再生時に検出するＥＣＣエラー数が１００以下の場合は、記憶媒体２には何ら不具合が発生していないものとみなし、ＥＣＣエラー数が３０１以上の場合は、記憶媒体２に深刻な不具合が発生し、再生不可能であると判断するものである。ディスク装置１の電源を入れ、ＤＶＤなどの光ディスクである記憶媒体２を挿入し、記憶媒体２の再生を行う（Ｓ０００１）。再生中にＰＤ電圧を変更する操作が行われたかを判別する（Ｓ０００２）。
【００２３】
以降のフローチャートについて、本実施例のケースとして４つの例により、引き続き図２から図４に基づいて説明する。ケース１として、ＥＣＣエラー数が１００以下の場合について説明する。ステップＳ０００２で、ＰＤ電圧の変更がされない場合のＰＤ電圧は通常値、すなわちメモリ部９に記憶された図３の表によると、エラー数１００以下の場合のＰＤ電圧値である１８０ｍＶである。再生中のＥＣＣエラーをデコーダ部７により検出する（Ｓ０００３）。ステップＳ０００３によって検出されたＥＣＣエラー数が１００以下の場合は、記憶媒体２に何ら不具合が生じていないと判断できるので、そのまま記憶媒体２の再生を継続し（Ｓ００１１）、ユーザの再生停止指示があった場合は（Ｓ００１２）、再生を停止し（Ｓ００１３）、動作を終える。ステップＳ００１２にて再生の停止が指示されない場合は、再度デコーダ部７により、ＥＣＣエラーの検出を行う。
【００２４】
ケース２として、検出されたＥＣＣエラー数が３０１以上の場合について説明する。ステップＳ０００３にてＥＣＣエラーが３０１以上検出された場合は、挿入された記憶媒体２に再生不可能となる不具合があるとＣＰＵ８により判断され、再生を停止（Ｓ００１５）、記憶媒体２に問題があるというメッセージのＯＳＤ表示により、ユーザに報知する（Ｓ００１６）。
【００２５】
ケース３として、検出されたＥＣＣエラー数が１０１以上３００以下の場合について説明する。本ケースにおいて、例えば検出されたＥＣＣエラー数は１８０であるとすると、ステップＳ０００３からステップＳ０００４に処理を移行する。ここで、ＣＰＵ８により、タイムカウントを開始する。次に、ＣＰＵ８は、検出されたＥＣＣエラー数よりＰＤ電圧値を再設定する（Ｓ０００５）。ここでは、メモリ部９に記憶した図３の表に基づき、ＰＤ電圧値を２００ｍＶに設定する。次に、ＰＤ電圧を設定値に実際に変更するよう、ＲＦ信号増幅／制御部６を通じてピックアップ部５へ命令する（Ｓ０００６）。その後、タイムカウントにより指定時間が経過したかを判別し（Ｓ０００７）、指定時間を経過していない場合は、再度ＥＣＣエラーの再検出を行う（Ｓ０００８）。このとき、ＥＣＣエラー数が３０１を超えていた場合はＰＤ電圧を通常値に変更し（Ｓ００１４）、ケース２に移行する。ＥＣＣエラー数が１０１以上３００以下の場合は、指定時間が経過するまでステップＳ０００５からステップＳ０００７までの処理を繰り返す。指定時間を経過するか、ステップＳ０００８にてＥＣＣエラー数が１００以下となった場合は、ＣＰＵ８がＲＦ信号増幅／制御部６を通じてピックアップブ５にＰＤ電圧を通常値に変更するよう命令し（Ｓ０００９）、タイムカウントのリセットを行う（Ｓ００１０）。その後、記憶媒体２の再生を継続し（Ｓ００１１）、ユーザにより再生の停止が指示されるまで、ステップＳ０００３に戻り、同様の動作を継続する。ユーザにより再生の停止が指示された場合（Ｓ００１２）、再生を停止し（Ｓ００１３）、ディスク装置１の動作を停止する。
【００２６】
ケース４として、ユーザの操作により、ＰＤ電圧値の変更を行う場合を、図２，３に基づいて説明する。ディスク装置１に電源を入れ、記憶媒体２を挿入し、記憶媒体２の再生を行う（Ｓ０００１）。その後、再生中の映像に乱れが生じた際、ユーザがディスク装置１に備える操作部１０によって、ＰＤ電圧の変更操作を行う（Ｓ１００１）。図３のフローチャートに移り、タイムカウントを開始、時間の計測を行う（Ｓ１００２）。操作された内容、すなわちＰＤ電圧の上昇若しくは下降の何れが指示されたかを判別し（Ｓ１００３）、上昇が指示された場合、その時点でのＰＤ電圧値が、予め決められた上限値（本実施例では、図４のＥＣＣエラー数３００以下の場合のＰＤ電圧値である２２０ｍＶ）であるかを判別し（Ｓ１００４）、上限に達していない場合、ＰＤ電圧値を上昇させる（Ｓ１００５）。上限に達していた場合は、上限値から変更せず、その状態を維持する。また、ステップＳ１００２にて、操作内容がＰＤ電圧下降を指示されている場合は、ＰＤ電圧が下限値（本実施例では、図４のＥＣＣエラー数１００以下の場合のＰＤ電圧値である１８０ｍＶ）であるかを判別し（Ｓ１００５）、下限に達していない場合は、ＰＤ電圧値を下降させる（Ｓ１００６）。その後、所定の時間経過したかをタイムカウントにより計測中の時間により判別し（１００７）、所定の時間が経過するまでに、ＰＤ電圧変更の操作があった場合（Ｓ１００８）、タイムカウントをリセットし（Ｓ１００９）、ステップＳ１００１へ戻る。所定の時間が経過した場合、ＰＤ電圧を通常値に変更し（Ｓ１０１０）、タイムカウントをリセットし（Ｓ１０１１）、映像の再生を継続する（Ｓ００１１）。
【００２７】
以上のように、本実施例によれば、ＥＣＣエラーの規定回数に分け、その区分毎にＰＤ電圧値を設定することにより、過度のレーザ光出力を抑制し、ディスク装置１に備えるピックアップ部５を構成する半導体部品の劣化を防止することができる。また、所定の回数以上のＥＣＣエラーを検出した場合、記憶媒体２に致命的な不具合が発生しているとして、ＰＤ電圧の上昇による読み取りの試行をせずに、再生を停止する。すなわち、一定の値以上にＰＤ電圧を上昇することがなく、ピックアップ部５を構成する半導体部品の劣化を防止することができる。また、この所定の回数以上にＥＣＣエラー数が検出された場合、記憶媒体２に不具合が発生している旨を示すメッセージをＯＳＤ表示により報知することで、利用者は記憶媒体２の不具合を容易に認識することができ、利便性が向上する。また、読み取り時のＥＣＣエラー数として現れない不具合により、再生映像の乱れなどが発生した場合でも、ユーザの操作部１０を用いたディスク装置１の操作によりＰＤ電圧値の変更を行うことができるので、読み取り時の不具合の解消を試みることができ、利便性の更なる向上が可能となる。
【００２８】
以上、本発明の実施例を詳述したが、本発明は前記実施例に限定されるものではなく、本発明の要旨の範囲内で種々の変形実施が可能である。例えば、図３に示す表のＥＣＣエラー数及びＰＤ電圧値の関係に限定せずに、再生に対応する記憶媒体の種類や、ピックアップ部の性能により、適切なＥＣＣエラー回数及びＰＤ電圧値の表を構成してもよい。また、ディスク装置を映像再生機器としたが、パソコンなどのディスクドライブに適用しても何ら問題は無い。また、報知手段をＯＳＤ作成部とし、ＯＳＤ表示により記憶媒体に不具合を報知するとしたが、音声やパソコンにインストールするアプリケーションなどにより報知を行ってもよい。
【図面の簡単な説明】
【００２９】
【図１】本発明の実施例を示す、ディスク装置の構成を示すブロック図である。
【図２】同上、ディスク装置の動作を示すフローチャート図である。
【図３】同上、ディスク装置の動作を示すフローチャート図である。
【図４】同上、記憶部に記憶されるＥＣＣエラー回数に基づいて設定される電圧値を示す表である。
【符号の説明】
【００３０】
１  ディスク装置
２  記憶媒体
５  ピックアップ部
６  ＲＦ信号増幅／制御部（ＲＦ信号増幅／制御手段）
７  デコーダ部
８  ＣＰＵ（制御手段）
９  メモリ部（記憶手段）
１０  操作部（操作手段）
１１  ＯＳＤ作成部（報知手段）
【図１】
2007066345.tif 000003
【図２】
2007066345.tif 000004
【図３】
2007066345.tif 000005
【図４】
2007066345.tif 000006